(57)【要約】【課題】装置のコンパクト化と洗浄性能の向上の両立に資するコイル状線材の洗浄装置を提供すること。【解決手段】コイル状線材９０がフック８０に吊下げられた状態で洗浄ブース２に収容された際に、コイル状線材９０の軸線９０ａと実質的に同軸線上となる位置に回転軸線６１を有するように壁２ａに対して相対回転可能に円筒体６２を取り付けると共に、コイル状線材９０の径方向外方となる位置においてコイル状線材９０のコイル長さ方向に延在する２本のシャワー管２２ａ，２２ｂを有する外洗シャワー２０を円筒体６２に固定する。これにより、シャワー管２２ａ，２２ｂを回転させるのみでコイル状線材９０を洗浄ブース２内に収容することができるため、シャワー管２２ａ，２２ｂをコイル状線材９０の軸線方向に退避させる必要がなくなる。また、シャワー管２２ａ，２２ｂを回転させことでコイル状線材９０の外周面全周を隈なく洗浄することができる。【選択図】図４
2020066769.tif 000002
【特許請求の範囲】
【請求項１】
長尺状の支持梁と、該支持梁の長手方向に沿って延在する略鉤形の吊下げ部と、を有するフックに吊り下げられた状態のコイル状線材に洗浄液を噴射することによって、該コイル状線材を洗浄するコイル状線材の洗浄装置であって、
前記支持梁の長手方向の第１および第２端部を載置可能な第１および第２載置部を有すると共に、前記フックに吊下げられた状態で前記コイル状線材を収容可能な洗浄ブースと、
前記コイル状線材が前記フックに吊下げられた状態で前記洗浄ブースに収容された際に、前記コイル状線材の径方向外方となる位置に配置されると共に、該コイル状線材のコイルの長さ方向に延在する少なくとも１本のシャワー管を有する外洗シャワーと、
前記外洗シャワーが接続されると共に、前記コイル状線材が前記フックに吊下げられた状態で前記洗浄ブースに収容された際に、前記コイル状線材の軸線と実質的に同軸線上となる位置に配置された回転軸線を有し、前記回転軸線を回転中心として前記シャワー管を回転可能な回転体と、
を備える洗浄装置。
【請求項２】
前記シャワー管には、前記洗浄液を噴出可能な噴射口を有する複数のノズルが該シャワー管の長手方向に沿って配置されており、
該複数のノズルのうち少なくとも該複数のノズルの配列方向の両端に配置されたノズルの前記噴射口は、該噴射口の先端縁を含む第１仮想平面に直交する直線であって前記噴射口の中心を通る第１仮想直線を有しており、
該第１仮想直線は、前記シャワー管の長手方向と直交する平面であって該シャワー管の長手方向の中央部に配置される第２仮想平面に交差している
請求項１に記載の洗浄装置。
【請求項３】
前記噴射口は、長軸および短軸を有する略楕円形状をしており、
前記複数のノズルは、前記第１仮想直線に沿う方向の一方側から見たときの仮想投影面上における前記長軸が、前記シャワー管の長手方向に直交する直線であって前記仮想投影面上の第２仮想直線に対して所定角度をもって交差するよう前記シャワー管に配置されている
請求項２に記載の洗浄装置。
【請求項４】
前記複数のノズルは、前記長軸が互いに平行となるよう前記シャワー管に配置されている
請求項３に記載の洗浄装置。
【請求項５】
軸線を有すると共に前記洗浄液を噴射可能な噴射部と、該噴射部から噴射される前記洗浄液の噴射角度を変更可能なように該噴射部の軸線方向に摺動可能に該噴射部の外周に取り付けられた円錐状筒部と、を有すると共に、前記洗浄ブースに固定された内洗シャワーをさらに備え、
前記外洗シャワーは、前記回転体に接続される接続管を有しており、
該接続管は、前記シャワー管に平行な直線状の第１部分を有しており、
該第１部分は、前記回転軸線に平行な方向に延在するよう、前記回転軸線に対して径方向外方に所定距離離れた位置において前記回転体に固定されており、
前記回転体は、中空部を有しており、
前記内洗シャワーは、前記コイル状線材が前記フックに吊下げられた状態で前記洗浄ブースに収容された際に、前記噴射部の前記軸線が前記コイル状線材の軸線と実質的に同軸線上となるよう前記中空部に配置されている
請求項１ないし４のいずれか１項に記載の洗浄装置。
【請求項６】
前記シャワー管は、第１シャワー管と、第２シャワー管と、を有し、
前記接続管は、前記第１部分の第１端部に直交状に接続された第２部分と、前記第１および第２部分の長手方向に直交するよう前記第２部分の長手方向の第１端部に接続された第３部分と、をさらに有し、
前記第１シャワー管は、前記第１部分の長手方向と平行な方向に延在するよう前記第２部分の長手方向の第２端部に接続され、
前記第２シャワー管は、前記第１部分の長手方向と平行な方向に延在するよう前記第３部分の長手方向の端部に接続されている
請求項５に記載の洗浄装置。
【請求項７】
前記洗浄液を前記接続管に供給するために、前記第１部分の長手方向の第２端部の外周面に液密かつ該第１部分と相対回転可能に取り付けられる供給管をさらに備え、
前記第１部分の前記第２端部は、前記供給管からの前記洗浄液を前記接続管の内部に流入可能なよう該内部まで貫通する径方向貫通孔を有している
請求項５または６のいずれか１項に記載の洗浄装置。
【発明の詳細な説明】
【技術分野】
【０００１】
本発明は、長尺状の支持梁と、当該支持梁の長手方向に沿って延在する略鉤形の吊下げ部と、を有するフックに吊り下げられたコイル状線材を洗浄するコイル状線材の洗浄装置に関する。
【背景技術】
【０００２】
特開２００２−２１２７６７号公報（特許文献１）には、側面視Ｃ字状のフックに吊り下げられたコイル状線材を収容する洗浄ブースと、フックに吊り下げられた状態で洗浄ブース内に収容されたコイル状線材の外周に配置されるリング状シャワー管と、当該リング状シャワー管をコイル状線材のコイルの長さ方向に移動させる駆動装置と、備えるコイル状線材の洗浄装置が記載されている。
【０００３】
当該装置では、コイル状線材の外周面を洗浄するために、コイル状線材の軸線に沿って延在するシャワー管を、コイル状線材の円周方向に沿って複数本配置する必要がないため、シャワー管に洗浄水を送給するためのポンプの容量や当該ポンプを駆動するためのモータの出力を低く抑えることができる。
【先行技術文献】
【特許文献】
【０００４】
【特許文献１】特開２００２−２１２７６７号公報
【発明の概要】
【発明が解決しようとする課題】
【０００５】
しかしながら、上述した公報に記載のコイル状線材の洗浄装置では、フックに吊り下げられたコイル状線材を洗浄ブース内に収容する際に、洗浄ブース内のコイル状線材の軸線方向であって、当該コイル状線材が配置されるスペース外にリング状シャワー管を待避させるスペースを確保する必要があり、洗浄ブースがコイル状線材の軸線方向に大型化してしまい、装置のコンパクト化という点において、なお改良の余地がある。
【０００６】
本考案は、上記に鑑みてなされたものであり、装置のコンパクト化と洗浄性能の向上の両立に資するコイル状線材の洗浄装置を提供することを目的とする。
【課題を解決するための手段】
【０００７】
本発明のコイル状線材の洗浄装置は、上述の目的を達成するために以下の手段を採った。
【０００８】
本発明に係るコイル状線材の洗浄装置の好ましい形態によれば、長尺状の支持梁と、当該支持梁の長手方向に沿って延在する略鉤形の吊下げ部と、を有するフックに吊り下げられた状態のコイル状線材に洗浄液を噴射することによって、当該コイル状線材を洗浄するコイル状線材の洗浄装置が構成される。当該コイル状線材の洗浄装置は、洗浄ブースと、外洗シャワーと、回転体と、を備えている。洗浄ブースは、支持梁の長手方向の第１および第２端部を載置可能な第１および第２載置部を有すると共に、フックに吊下げられた状態でコイル状線材を収容可能である。外洗シャワーは、コイル状線材がフックに吊下げられた状態で洗浄ブースに収容された際に、コイル状線材の径方向外方となる位置に配置されると共に、当該コイル状線材のコイルの長さ方向に延在する少なくとも１本のシャワー管を有している。回転体は、外洗シャワーが接続されると共に、コイル状線材がフックに吊下げられた状態で洗浄ブースに収容された際に、コイル状線材の軸線と実質的に同軸線上となる位置に配置された回転軸線を有しており、当該回転軸線を回転中心としてシャワー管を回転可能である。
【０００９】
本発明によれば、コイル状線材の外周面を洗浄するためのシャワー管が、コイル状線材の径方向外方となる位置において、コイル状線材のコイルの長さ方向に延在していると共に、フックに吊下げられた状態で洗浄ブースに収容されたコイル状線材の軸線と実質的に同軸線上に配置された回転軸線を中心に回転可能であるため、フックに吊り下げられたコイル状線材を洗浄ブース内に収容する際には、コイル状線材に干渉しない周方向位置までシャワー管を回転させることができる。これにより、コイル状線材を洗浄ブース内に収容する際に、シャワー管をコイル状線材の軸線方向に退避させる必要がなくなるため、装置が大型化することを良好に抑制できる。また、コイル状線材を洗浄する際には、シャワー管を回転させながらコイル状線材の外周面を洗浄することができるため、コイル状線材の外周面であって、コイル状線材を径方向外方側から見た場合に、支持梁とコイル状線材とが重なる部分も洗浄することができるため、洗浄性能の向上を図ることができる。なお、少なくとも１本のシャワー管を有すれば良いため、シャワー管に洗浄液を送給するためのポンプの容量や当該ポンプを駆動するためのモータの出力を低く抑えることができる。ここで、本発明における「コイルの長さ」とは、コイルの軸線方向に沿う方向の長さとして規定される。
【００１０】
本発明に係るコイル状線材の洗浄装置の更なる形態によれば、シャワー管には、洗浄液を噴出可能な噴射口を有する複数のノズルが当該シャワー管の長手方向に沿って配置されている。当該複数のノズルのうち少なくとも当該複数のノズルの配列方向の両端に配置されたノズルの前記噴射口は、当該噴射口の先端縁を含む第１仮想平面に直交する直線であって噴射口の中心を通る第１仮想直線を有している。そして、当該第１仮想直線は、シャワー管の長手方向と直交する平面であって当該シャワー管の長手方向の中央部に配置される第２仮想平面に交差している。ここで、本発明における「噴射口の中心」とは、噴射口の先端を含む第１仮想平面上の噴射口形状の図心がこれに該当する。
【００１１】
本形態によれば、配列方向において少なくとも両端に配置されたノズルの噴射口から噴射される洗浄液を、シャワー管の長手方向の中央側に向けることができるため、コイル状線材の長さが両端に配置されたノズル間の距離よりも短い場合であっても、噴射口から噴射される洗浄液を確実にコイル状線材に当てることができる。これにより、洗浄液の不要な飛散を抑制することができると共に、コイル状線材の洗浄性能の向上を図ることができる。
【００１２】
本発明に係るコイル状線材の洗浄装置の更なる形態によれば、噴射口は、長軸および短軸を有する略楕円形状をしている。そして、複数のノズルは、第１仮想直線に沿う方向の一方側から見たときの仮想投影面上における噴射口の長軸が、シャワー管の長手方向に直交する直線であって当該仮想投影面上の第２仮想直線に対して所定角度をもって交差するよう前記シャワー管に配置されている。ここで、本発明における「略楕円形状」は、楕円形状がこれに該当するが、長孔を好適に包含する。
【００１３】
本形態によれば、１つのノズルから噴射される洗浄液を広い接触面積でコイル状線材に当接させることができる。これにより、コイル状線材の洗浄性能をより向上することができる。
【００１４】
本発明に係るコイル状線材の洗浄装置の更なる形態によれば、複数のノズルは、長軸が互いに平行となるようにシャワー管に配置されている。
【００１５】
本形態によれば、各ノズルから噴射される洗浄液同士の干渉を抑制することができる。これにより、コイル状線材の洗浄性能をより一層向上することができる。
【００１６】
本発明に係るコイル状線材の洗浄装置の更なる形態によれば、軸線を有すると共に洗浄液を噴射可能な噴射部と、当該噴射部から噴射される洗浄液の噴射角度を変更可能なように当該噴射部の軸線方向に摺動可能に当該噴射部の外周に取り付けられた円錐状筒部と、を有すると共に、洗浄ブースに固定された内洗シャワーをさらに備えている。外洗シャワーは、回転体に接続される接続管を有している。当該接続管は、シャワー管に平行な直線状の第１部分を有している。当該第１部分は、回転軸線に平行な方向に延在するように回転軸線に対して径方向外方に所定距離離れた位置において、回転体に固定されている。また、回転体は、中空部を有している。そして、内洗シャワーは、コイル状線材がフックに吊下げられた状態で洗浄ブースに収容された際に、噴射部の軸線がコイル状線材の軸線と実質的に同軸線上となるように中空部に配置されている。
【００１７】
本形態によれば、コイル状線材の外周面に加えてコイル状線材の内周面も洗浄することができる。しかも、内洗シャワーが中空に形成された回転体の中空部に配置されるため、装置が大型化することを良好に抑制することができる。
【００１８】
本発明に係るコイル状線材の洗浄装置の更なる形態によれば、シャワー管は、第１シャワー管と、第２シャワー管と、を有している。接続管は、第１部分の第１端部に直交状に接続された第２部分と、第１および第２部分の長手方向に直交するように第２部分の長手方向の第１端部に接続された第３部分と、をさらに有している。また、第１シャワー管は、第１部分の長手方向と平行な方向に延在するように第２部分の長手方向の第２端部に接続されている。そして、第２シャワー管は、第１部分の長手方向と平行な方向に延在するように第３部分の長手方向の端部に接続されている。
【００１９】
本形態によれば、第１シャワー管および第２シャワー管によってコイル状線材の外周面を洗浄するため、洗浄に要する時間の短縮化を図ることができる。なお、第２シャワー管が第１シャワー管と同一平面上に配置されていない、即ち、第２シャワー管が第１シャワー管および接続管の第２部分を含む仮想平面に対して接続管の第３部分の長さ分だけオフセットした位置に配置されているため、第２シャワー管が第１シャワー管に対してオフセットしていない構成に比べて、コイル状線材の外周面の全周を洗浄するための回転体の回転角度を小さく抑えることができる。これにより、洗浄に要する時間をより短縮化することができる。
【００２０】
本発明に係るコイル状線材の洗浄装置の更なる形態によれば、洗浄液を接続管に供給するために、接続管の第１部分の長手方向の第２端部の外周面に液密かつ当該第１部分と相対回転可能に取り付けられる供給管をさらに備えている。そして、第１部分の第２端部は、供給管からの洗浄液を連通管の内部に流入可能なように当該内部まで貫通する径方向貫通孔を有している。
【００２１】
本形態によれば、回転する外洗シャワーに対して簡易な構造で洗浄液を供給することができる。なお、供給管が接続管に対して相対回転可能に取り付けられるため、供給管に接続されるホースなどが外洗シャワーに連れ回ることを抑制できる。
【発明の効果】
【００２２】
本発明によれば、装置のコンパクト化と洗浄性能の向上の両立に資するコイル状線材の洗浄装置を提供することができる。
【図面の簡単な説明】
【００２３】
【図１】本発明の実施の形態に係るコイル状線材の洗浄装置１の構成の概略を示す概略構成図である。
【図２】本発明の実施の形態に係るコイル状線材の洗浄装置１を上方から見た平面図である。
【図３】本発明の実施の形態に係るコイル状線材の洗浄装置１を壁２ａ側から見た正面図である。
【図４】本発明の実施の形態に係るコイル状線材の洗浄装置１を壁２ｃ，２ｄに平行な平面で切った断面を示す断面図である。
【図５】回転機構６０の詳細を拡大して示す要部拡大断面図である。
【図６】外洗シャワー２０の外観を示す斜視図である。
【図７】外洗シャワー２０を支持管２４ａの端部２４ａ’側から見た正面図である。
【図８】シャワー管２２ａ，２２ｂおよび連結管２４ｂをシャワー管２２ａ，２２ｂおよび連結管２４ｂに直交する方向から見た側面図である。
【図９】図９（ａ）は、シャワー管２２ａを拡大して示す拡大図であり、図９（ｂ）は、図９（ａ）の矢印Ｙ方向から見たシャワー管２２ａの拡大図である。
【図１０】図１０（ａ）は、シャワー管２２ｂを拡大して示す拡大図であり、図１０（ｂ）は、図１０（ａ）の矢印Ｚ方向から見たシャワー管２２ｂの拡大図である。
【図１１】図１１（ａ）は、噴射ノズル３０ａの外観を示す斜視図であり、図１１（ｂ）は、噴射ノズル３０ｂの外観を示す斜視図である。
【図１２】噴射ノズル３０ａの噴射口３１ａの方向を示す説明図である。
【図１３】噴射ノズル３０ａ，３０ｂの噴射口３１ａ，３１ｂの傾斜状態を示す説明図である。
【図１４】図８のＡ−Ａ断面を示す断面図である。
【図１５】図８のＢ−Ｂ断面を示す断面図である。
【図１６】接続管２４の構成の概略を示す構成図である。
【図１７】供給管２６の外観を示す外観図である。
【図１８】内洗シャワー５２，５４の構成の概略を示す構成図である。
【図１９】図１９（ａ）は、スライドフランジ５２ｂ，５４ｂがアクチュエータ５２ｃ，５４ｃ側に移動された状態を示す説明図であり、図１９（ｂ）は、スライドフランジ５２ｂ，５４ｂがノズル本体部５２ａ，５４ａの先端側に突出する方向に移動された状態を示す説明図である。
【図２０】円筒体６２の構成の概略を示す断面図である。
【図２１】図２０のＸ−Ｘ断面を示す断面図である。
【図２２】円筒体６２に金具７０を取り付ける際の様子を示す説明図である。
【図２３】円筒体６２に支持管２４ａの端部２４ａ’を固定した状態を示す説明図である。
【図２４】フック８０に吊り下げられた状態のコイル状線材９０を洗浄ブースの洗浄空間ＣＳ内に収容する際の様子を示す説明図である。
【図２５】外洗シャワー２０が回転する様子を示す説明図である。
【発明を実施するための形態】
【００２４】
次に、本発明を実施するための最良の形態を実施例を用いて説明する。
【実施例】
【００２５】
本発明の実施の形態に係るコイル状線材の洗浄装置１は、図１に示すように、フック８０に吊下げられた状態のコイル状線材９０を収容可能な洗浄ブース２と、当該洗浄ブース２内に収容されたコイル状線材９０の外周面に向けて洗浄水を噴射する外洗シャワー２０と、当該コイル状線材９０の内周面に向けて洗浄水を噴射する２つの内洗シャワー５２，５４（図１には、内洗シャワー５４のみが記載されている。内洗シャワー５２は、図４参照）と、外洗シャワー２０を回転させる回転機構６０と、を備えている。なお、フック８０は、長尺状の支持梁８２と、当該支持梁８２に一体に設けられた略鉤形の吊下げ部８４と、を有しており、吊下げ部８４にコイル状線材９０が吊り下げられる。洗浄水は、本発明における「洗浄液」に対応する実施構成の一例である。
【００２６】
洗浄ブース２は、図１および図２に示すように、４つの壁２ａ，２ｂ，２ｃ，２ｄを有しており、図３および図４に示すように、床面Ｆに設けられた排水槽４の開口４ａの周囲を囲むように床面Ｆに立設されている。換言すれば、４つの壁２ａ，２ｂ，２ｃ，２ｄによって、開口４ａの周囲を囲む平面視（上方から見た場合に）略長方形状の洗浄空間ＣＳが構成されている。ここで、壁２ａ，２ｂは、洗浄空間ＣＳの長手方向に沿う方向に延在しており、壁２ｃ，２ｄは、洗浄空間ＣＳの長手方向に直交する方向に延在している。
【００２７】
壁２ａ，２ｂは、上端部（図１の上側端部）にフック８０の支持梁８２を載置可能な載置部６ａ，６ｂを有している。また、壁２ａには、図５に示すように、開口８が形成されている。当該開口８は、詳細な図示は省略するが、コイル状線材９０を吊り下げた状態のフック８０が載置部６ａ，６ｂに設置された際の当該コイル状線材９０の軸線９０ａと実質的に同軸上に中心を有する円形状をしている。なお、壁２ｂにも、壁２ａと同様、コイル状線材９０の軸線９０ａと実質的に同軸上に中心を有する円形状の開口（図示せず）を有している。壁２ｂの開口は、壁２ａの開口８よりも小さい径を有する円形状をしている。載置部６ａ，６ｂは、それぞれ本発明における「第１載置部」および「第２載置部」に対応する実施構成の一例である。また、支持梁８２のうち載置部６ａ，６ｂに載置される部分は、それぞれ本発明における「第１載置部」および「第２載置部」に対応する実施構成の一例である。
【００２８】
外洗シャワー２０は、図４に示すように、２本のシャワー管２２ａ，２２ｂと、当該シャワー管２２ａ，２２ｂを回転機構６０に接続する接続管２４と、から構成されている。シャワー管２２ａ，２２ｂは、図６に示すように、長尺状の直管として構成されている。シャワー管２２ａ，２２ｂは、長手方向の一端部が接続管２４に接続されており、他端が閉塞されている。また、シャワー管２２ａ，２２ｂには、図９に示すように、複数の噴射ノズル３０ａ，３０ｂが取り付けられていると共に、一対のガイドプレート３２，３２が取り付けられている。シャワー管２２ａ，２２ｂは、それぞれ本発明における「第１シャワー管」および「第２シャワー管」に対応する実施構成の一例である。また、噴射ノズル３０ａ，３０ｂは、本発明における「ノズル」に対応する実施構成の一例である。
【００２９】
複数の噴射ノズル３０ａ，３０ｂは、図９および図１０に示すように、シャワー管２２ａ，２２ｂの長手方向に沿って一列に配置されている。噴射ノズル３０ａは、図１１に示すように、略楕円柱体を屈曲した形状をしており、噴射口３１ａは、長軸ＬＡおよび短軸ＳＡを有する楕円形状をしている。噴射ノズル３０ａは、配列方向（シャワー管２２ａ，２２ｂの長手方向）の両端および当該両端の直近の内側に配置される。即ち、４つの噴射ノズル３０ａがシャワー管２２ａ，２２ｂに取り付けられている。
【００３０】
ここで、噴射ノズル３０ａは、図９および図１０に示すように、噴射口３１ａがシャワー管２２ａ，２２ｂの長手方向の中央部を向くように当該シャワー管２２ａ，２２ｂに取り付けられている。より具体的には、噴射ノズル３０ａは、図１２に示すように、噴射口３１ａの先端縁を含む第１仮想平面ＶＰ１に直交する直線であって、当該噴射口３１ａの中心を通る第１仮想直線ＶＬ１が、シャワー管２２ａ，２２ｂの長手方向と直交する平面であって、シャワー管２２ａ，２２ｂの長手方向の中央部に配置される第２仮想平面ＶＰ２に交差する方向を噴射口３１ａが向くように、シャワー管２２ａ，２２ｂに取り付けられている。
【００３１】
また、噴射ノズル３０ａは、図１３に示すように、第１仮想直線ＶＬ１に沿う方向の一方側から見たときの仮想投影面上における噴射口３１ａの長軸ＬＡ’が、シャワー管２２ａ，２２ｂの長手方向と直交する平面であって、当該仮想投影面上の第２仮想直線ＶＬ２に対して所定角度θをもって交差するように、シャワー管２２ａ，２２ｂに取り付けられている。さらに、噴射ノズル３０ａは、図７、図１４および図１５に示すように、シャワー管２２ａ，２２ｂを長手方向の一方側から見た場合に、当該シャワー管２２ａ，２２ｂの中心同士を結ぶ第３仮想直線ＶＬ３（図７参照）に沿って突出するようにシャワー管２２ａ，２２ｂに取り付けられている。
【００３２】
噴射ノズル３０ｂは、図１１に示すように、略楕円柱体形状をしており、噴射口３１ｂは、長軸ＬＡおよび短軸ＳＡを有する楕円形状をしている。噴射ノズル３０ｂは、図９および図１０に示すように、噴射ノズル３０ａ間に配置されている。ここで、噴射ノズル３０ｂは、図１４および図１５に示すように、上述した第３仮想直線ＶＬ３に沿って突出するようにシャワー管２２ａ，２２ｂに取り付けられている。換言すれば、噴射口３１ｂが第３仮想直線ＶＬ３の延在方向を向くように、即ち、シャワー管２２ａに配置された噴射ノズル３０ｂの噴射口３１ｂと、シャワー管２２ｂに配置された噴射ノズル３０ｂの噴射口３１ｂと、が第３仮想直線ＶＬ３上において互いに対向するようにシャワー管２２ａ，２２ｂに取り付けられている。なお、噴射ノズル３０ｂは、図１３に示すように、第１仮想直線ＶＬ１に沿う方向の一方側から見たときの仮想投影面上における噴射口３１ｂの長軸ＬＡ’が、シャワー管２２ａ，２２ｂの長手方向と直交する平面であって、当該仮想投影面上の第２仮想直線ＶＬ２に対して所定角度θをもって交差するように、シャワー管２２ａ，２２ｂに取り付けられている。
【００３３】
ガイドプレート３２，３２は、図６に示すように、シャワー管２２ａ，２２ｂの長手方向に沿って延在している。ガイドプレート３２，３２は、図１４および図１５に示すように、一列に配置された複数の噴射ノズル３０ａ，３０ｂを挟むようにシャワー管２２ａ，２２ｂに取り付けられている。ガイドプレート３２，３２は、シャワー管２２ａ，２２ｂから離れるに伴って互いの間隔が狭まる態様、即ち、シャワー管２２ａ，２２ｂから離れるほど噴射ノズル３０ａ，３０ｂに近付く方向の傾斜をもってシャワー管２２ａ，２２ｂに取り付けられている。これにより、噴射ノズル３０ａ，３０ｂから噴射される洗浄水の不要な拡散を抑制できる。
【００３４】
接続管２４は、図６に示すように、シャワー管２２ａ，２２ｂに平行な支持管２４ａと、エルボ管ＥＬ１を介して当該支持管２４ａに直交状に接続された連結管２４ｂと、から構成されている。支持管２４ａの長手方向の端部のうちエルボ管ＥＬ１に接続される側とは反対側の端部２４ａ’の外周面には、図６および図１６に示すように、内部まで貫通する貫通開口２５が形成されている。当該貫通開口２５は、端部２４ａ’の外周面の周方向に沿って複数形成されている。ここで、支持管２４ａは、本発明における「第１部分」に対応し、端部２４ａ’は、本発明における「第１部分の長手方向の第２端部」に対応し、連結管２４ｂは、本発明における「第２部分」に対応する実施構成の一例である。また、支持管２４ａのうちエルボ管ＥＬ１に接続される側の端部は、本発明における「第１部分の第１端部」に対応し、貫通開口２５は、本発明における「径方向貫通孔」に対応する実施構成の一例である。
【００３５】
当該支持管２４ａの端部２４ａ’の外周面には、図１７に示すように、貫通開口２５を覆うように、端部２４ａ’に対して液密かつ相対回転可能な態様で供給管２６が取り付けられている。供給管２６のフランジ部２６ａには、ホースＨが接続され、図示しないポンプによって汲み上げられた洗浄水がホースＨ、供給管２６および貫通開口２５を介して支持管２４ａの内部に供給される。このように本実施の形態では、回転する外洗シャワー２０に対して簡易な構造で洗浄水を供給することができる。
【００３６】
連結管２４ｂの長手方向の一端部には、図５、図６、図７、図８および図１６に示すように、エルボ管ＥＬ２を介してシャワー管２２ａが接続されている。また、連結管２４ｂの長手方向の他端部には、図６および図７に示すように、エルボ管ＥＬ３を介して枝管２４ｃが接続されている。ここで、連結管２４ｂの長手方向の一端部は、本発明における「第２部分の長手方向の第２端部」に対応し、連結管２４ｂの長手方向の他端部は、本発明における「第２部分の長手方向の第１端部」に対応する実施構成の一例である。また、枝管２４ｃは、本発明における「第３部分」に対応する実施構成の一例である。
【００３７】
枝管２４ｃは、支持管２４ａおよび連結管２４ｂの両方に直交する方向に延在している。当該枝管２４ｃの延出端には、エルボ管ＥＬ４を介してシャワー管２２ｂが接続されている。即ち、シャワー管２２ｂは、図７に示すように、シャワー管２２ａおよび連結管２４ｂを含む第３仮想平面ＶＰ３に対して枝管２４ｃの長さ分だけオフセットした位置に配置されている。換言すれば、シャワー管２２ａとシャワー管２２ｂとは、同一平面上に配置されていない。なお、枝管２４ｃの長さは、第３仮想直線ＶＬ３が洗浄ブース２に収容されたコイル状線材９０の軸線９０ａと交差するように設定されている（図７参照）。連結管２４ｂの長手方向の長さは、シャワー管２２ａ，２２ｂがコイル状線材９０の径方向外方に配置されるような値、即ち、シャワー管２２ａ，２２ｂ同士の間隔がコイル状線材９０の直径よりも大きくなるような値に設定されている。ここで、枝管２４ｃの延出端は、本発明における「第３部分の長手方向の端部」に対応する実施構成の一例である。
【００３８】
内洗シャワー５２，５４は、図１８に示すように、ノズル本体部５２ａ，５４ａと、当該ノズル本体部５２ａ，５４ａの外周面に配置されたスライドフランジ５２ｂ，５４ｂと、当該スライドフランジ５２ｂ，５４ｂをノズル本体部５２ａ，５４ａに対して当該ノズル本体部５２ａ，５４ａの軸線方向にスライド可能にブラケットＢＲ１を介してスライドフランジ５２ｂ，５４ｂに接続されたアクチュエータ５２ｃ，５４ｃと、から構成されている。内洗シャワー５２，５４は、図４に示すように、コイル状線材９０を長さ方向に挟むように壁２ａ，２ｂに取り付けられている。ノズル本体部５２ａ，５４ａは、本発明における「噴射部」に対応し、スライドフランジ５２ｂ，５４ｂは、本発明における「円錐状筒部」に対応する実施構成の一例である。
【００３９】
具体的には、内洗シャワー５２は、図５に示すように、その軸線がコイル状線材９０を吊り下げた状態のフック８０が載置部６ａ，６ｂに設置された際の当該コイル状線材９０（図４参照）の軸線９０ａと実質的に同軸上となるように、ブラケットＢＲ２を介して壁２ａに取り付けられている。内洗シャワー５２は、開口８を介してスライドフランジ５２ｂ側が洗浄空間ＣＳ内に突出された状態となっている。なお、詳細は後述するが、内洗シャワー５２は、回転機構６０の後述する円筒体６２の内部空間ＩＡに収容される。
【００４０】
また、内洗シャワー５４は、詳細な図示は省略するが、内洗シャワー５２と同様、その軸線がコイル状線材９０を吊り下げた状態のフック８０が載置部６ａ，６ｂに設置された際の当該コイル状線材９０（図４参照）の軸線９０ａと実質的に同軸上となるように、ブラケット（図示せず）を介して壁２ｂに取り付けられている。内洗シャワー５４は、壁２ｂに形成された開口（図示せず）を介してスライドフランジ５４ｂ側が洗浄空間ＣＳ内に突出された状態となっている。なお、内洗シャワー５４は、ノズル本体部５４ａと壁２ｂに形成された開口（図示せず）との間が液密となるようにシールされた状態で壁２ｂに取り付けられている。
【００４１】
ノズル本体部５２ａ，５４ａは、図１８および図１９に示すように、先端部に径方向に大きく開口されたスリット５５，５５を有しており、当該スリット５５を覆うようにスライドフランジ５２ｂ，５４ｂが配置されている。これにより、スリット５５，５５から噴射される洗浄水は、スライドフランジ５２ｂ，５４ｂの内周面に衝突してその噴出方向がコイル状線材９０の内周面に向かう方向に変更される。ここで、スライドフランジ５２ｂ，５４ｂの内周面は２段階テーパー形状を有しており、当該テーパー面のテーパー角度は、図１９（ａ），（ｂ）に示すように、洗浄水が先端側に配置されたテーパー面に衝突した際の洗浄水の拡散範囲の方が、洗浄水が根元側（アクチュエータ５２ｃ，５４ｃ側）に配置されたテーパー面に衝突した際の洗浄水の拡散角度に比べて大きくなるように設定されている。
【００４２】
即ち、スライドフランジ５２ｂ，５４ｂが、図１９（ａ）に示すように、ノズル本体部５２ａ，５４ａとの掛かり代が大きくなる方向（図１９（ａ）の左側）にスライドされたときの方が、図１９（ｂ）に示すように、ノズル本体部５２ａ，５４ａとの掛かり代が小さくなる方向（図１９（ｂ）の右側）にスライドされたときよりも洗浄水の拡散角度が大きくなる。ここで、洗浄水の拡散角度を大きくすると、コイル状線材９０の軸線方向の端部寄りの内周面を重点的に洗浄することができ、洗浄水の拡散角度を小さくすると、コイル状線材９０の軸線方向の中央部寄りの内周面を重点的に洗浄することができる。
【００４３】
これにより、スライドフランジ５２ｂ，５４ｂのスライド方向を互いに逆方向となるようにアクチュエータ５２ｃ，５４ｃによって駆動することにより、内洗シャワー５２，５４から噴射される洗浄水がお互いに補完し合う相乗効果を発揮してコイル状線材９０の長手方向全域に亘って当該コイル状線材９０の内周面を効果的に洗浄することができる。
【００４４】
回転機構６０は、図２０に示すように、フランジ６２ａを有する円筒体６２と、フランジ６２ａに取り付けられた外輪６４と、転動体６５を介して外輪６４に接続された内輪６６と、内輪６６を支持する支持部材６８と、ウォーム６９ａを有するウォームギヤ６９と、から構成されている。ここで、フランジ６２ａ，外輪６４，転動体６５，内輪６６および支持部材６８によって軸受が構成されている。これにより、円筒体６２と支持部材６８とは互いに相対回転可能である。円筒体６２は、本発明における「回転体」に対応する実施構成の一例である。
【００４５】
円筒体６２は、図２０に示すように、内部空間ＩＡを有しており、長手方向の両端面には、内部空間ＩＡまで貫通する円形開口６２ｂ，６２ｃが形成されている。円形開口６２ｂ，６２ｃは、円筒体６２の外周面と同心円に形成されており、円形開口６２ｃが円形開口６２ｂよりも大径に形成されている。また、円形開口６２ｂが形成された端面には、図２２に示すように、当該円形開口６２ｂと並列、かつ、一部がラップした状態で円形開口６３が形成されている。円形開口６３は、外洗シャワー２０の接続管２４の支持管２４ａの外径とほぼ同じ大きさの内径を有している。内部空間ＩＡは、本発明における「中空部」に対応する実施構成の一例である。
【００４６】
また、円形開口６２ｃ寄りの円筒体６２の外周面には、図２０に示すように内部空間ＩＡまで貫通するスリットＳＬが形成されている。当該スリットＳＬは、内洗シャワー５２を壁２ａに固定するブラケットＢＲ２によって、円筒体６２の回転が阻害されないようするためのものであり、図２１に示すように、円筒体６２が１８０°回転（図２１における反時計回り）してもブラケットＢＲ２と干渉しない円周方向長さを有している（円筒体６２が１８０°回転した後のスリットＳＬの端部ＳＬ’参照）。
【００４７】
外輪６４は、図２０に示すように、外周面にはす歯歯車６４ａを有しており、ボルトなどの締結部材によってフランジ６２ａに固定される。ウォームギヤ６９は、ウォーム６９ａが外輪６４のはす歯歯車６４ａとかみ合うように配置される。ウォームギヤ６９は、支持部材６８に一体に設けられている。これにより、ウォームギヤ６９を回転駆動することにより、円筒体６２が支持部材６８に対して相対回転する。
【００４８】
こうして構成された回転機構６０は、図５に示すように、円形開口６２ｃが壁２ａの開口８側を向いた状態、かつ、円筒体６２が当該開口８に挿通された状態で壁２ａに固定される。より具体的には、回転機構６０の支持部材６８にボルトなどの締結部材によって固定された取付金具ＭＦを介して、壁２ａにボルトなどの締結部材によって固定される。ここで、回転機構６０は、円筒体６２が開口８に対して同心円状となるように壁２ａに取り付けられる。換言すれば、回転機構６０は、円筒体６２の回転軸線６１がコイル状線材９０を吊り下げた状態のフック８０が載置部６ａ，６ｂに設置された際の当該コイル状線材９０（図４参照）の軸線９０ａと実質的に同軸上となるように壁２ａに取り付けられると言うことができる。このように壁２ａに回転機構６０が取り付けられることによって、円筒体６２が壁２ａに対して相対的に回転され得る。
【００４９】
当該回転機構６０が壁２ａに取り付けられた後、スリットＳＬを介して円筒体６２の内部空間ＩＡ内に突出した状態となるようにブラケットＢＲ２が壁２ａに取り付けられ、当該ブラケットＢＲ２に内洗シャワー５２が固定される。即ち、内洗シャワー５２は、円筒体６２の内部空間ＩＡ内に収容された状態で設置される。このとき、内洗シャワー５２は、その軸線がコイル状線材９０を吊り下げた状態のフック８０が載置部６ａ，６ｂに設置された際の当該コイル状線材９０（図４参照）の軸線９０ａと実質的に同軸上となっている。
【００５０】
また、図２３に示すように、円筒体６２の円形開口６２ｃ側（図５参照）から円形開口６３に外洗シャワー２０の支持管２４ａが挿通されて、円形開口６３が形成された円筒体６２の端面側において、金具７０によって支持管２４ａが円筒体６２に固定される。即ち、外洗シャワー２０は、支持管２４ａがコイル状線材９０（図４参照）の軸線９０ａに同軸上ではなく当該軸線９０ａに対して所定距離だけ離れた位置で平行に延在するように円筒体６２に固定される。換言すれば、外洗シャワー２０は、支持管２４ａが円筒体６２の回転軸線６１に対して所定距離だけ離れた位置に配置されていると言うことができる。なお、金具７０は、図２２に示すように、支持管２４ａの外径とほぼ同じ大きさの内径を有する円弧状の切り欠き７０ａを有しており、支持管２４ａは、円形開口６３と金具７０とによって挟まれた状態で固定される。
【００５１】
また、支持管２４ａは、図５に示すように、円形開口６２ｃが形成された円筒体６２の端面側においては、ブラケットＢＲ３を介して当該円筒体６２に取り付けられた補強バー７２によって支持される。なお、外洗シャワー２０は、連結管２４ｂも補強バー７２に取り付けられて支持されている。
【００５２】
こうして外洗シャワー２０は、支持管２４ａがコイル状線材９０（図４参照）の軸線９０ａと平行に延在するように円筒体６２に取り付けられて、円筒体６２と一体に回転する。換言すれば、外洗シャワー２０は、支持管２４ａが軸線９０ａの周りを公転する態様で回転すると言うことができる。
【００５３】
次に、こうして構成されたコイル状線材の洗浄装置１の動作、特に、外洗シャワー２０によるコイル状線材９０の外周面の洗浄処理の際の動作について説明する。まず、図２４に示すように、フック８０に吊下げられた状態のコイル状線材９０を洗浄ブース２内に設置するに際し、ウォームギヤ６９を駆動することによって円筒体６２と共に外洗シャワー２０を回転し（図２４において時計回り）、連結管２４ｂが鉛直方向に延在している状態（図２４中の二点鎖線の連結管２４ｂ）から水平方向に延在する状態（図２４中の実線の連結管２４ｂ）とする。これにより、シャワー管２２ａとシャワー管２２ｂとの間のスペースを介してコイル状線材９０を洗浄空間ＣＳ内に導入することができる。
【００５４】
このように、本実施の形態では、外洗シャワー２０を回転することによって、コイル状線材９０を洗浄空間ＣＳ内に導入することができるため、コイル状線材９０を洗浄空間ＣＳ内に導入するために外洗シャワーを洗浄空間ＣＳ外や、洗浄空間ＣＳ内におけるコイル状線材９０に干渉しない範囲まで軸線方向に退避させる必要がないため、当該退避させるためのスペースが不要となり、装置のコンパクト化を図ることができる。
【００５５】
こうしてコイル状線材９０を吊り下げた状態のフック８０が載置部６ａ，６ｂに設置されると、ウォームギヤ６９を駆動して円筒体６２と共に外洗シャワー２０を回転し（図２４において反時計回り）、連結管２４ｂが鉛直方向に延在する状態に戻す。当該状態から図示しないポンプを駆動して、ホースＨ、供給管２６および貫通開口２５を介して支持管２４ａの内部に洗浄水を供給する。支持管２４ａに供給された洗浄水は、連結管２４ｂおよび枝管２４ｃを介してシャワー管２２ａ，２２ｂまで流れ、複数の噴射ノズル３０ａ，３０ｂからコイル状線材９０の外周面に向けて噴射される。
【００５６】
ここで、配列方向（シャワー管２２ａ，２２ｂの長手方向）の両端および当該両端の直近の内側に配置された噴射ノズル３０ａは、噴射口３１ａがシャワー管２２ａ，２２ｂの長手方向の中央部を向いているため、コイル状線材９０の軸線方向の長さが両端の直近の内側に配置された噴射ノズル３０ａ，３０ａ間の距離よりも短い場合であっても、噴射口３１ａ，３１ａから噴射される洗浄水を確実にコイル状線材９０に当てることができる。これにより、洗浄水の不要な飛散を抑制することができると共に、コイル状線材９０の洗浄性能の向上を図ることができる。
【００５７】
また、複数の噴射ノズル３０ａ，３０ｂは、第１仮想直線ＶＬ１に沿う方向の一方側から見たときの仮想投影面上における噴射口３１ａ，３１ｂの長軸ＬＡ’が、シャワー管２２ａ，２２ｂの長手方向に直交する直線であって当該仮想投影面上の第２仮想直線ＶＬ２に対して所定角度θをもって交差するようにシャワー管２２ａ，２２ｂに配置されているため、噴射口３１ａ，３１ｂの長軸ＬＡ’が第２仮想直線ＶＬ２に沿うようにシャワー管２２ａ，２２ｂに配置される構成に比べて、１つの噴射ノズル３０ａ，３０ｂから噴射される洗浄水とコイル状線材９０の外周面との接触面積の増大を図ることができる。これにより、コイル状線材９０の洗浄性能が向上され得る。
【００５８】
なお、全ての噴射ノズル３０ａ，３０ｂの噴射口３１ａ，３１ｂが同じ方向に同じ角度（所定角度θ）傾斜しているため、各噴射口３１ａ，３１ｂから噴射される洗浄水が互いに干渉することを良好に抑制できる。
【００５９】
さらに、噴射ノズル３０ｂの噴射口３１ｂがコイル状線材９０の軸線を通る第３仮想直線ＶＬ３の延在方向を向いている、即ち、シャワー管２２ａに配置された噴射ノズル３０ｂの噴射口３１ｂと、シャワー管２２ｂに配置された噴射ノズル３０ｂの噴射口３１ｂと、が第３仮想直線ＶＬ３上において互いに対向するように配置されているため、噴射口３１ｂから噴射される洗浄水がコイル状線材９０の軸線に向かって噴射される。即ち、噴射口３１ｂから噴射される洗浄水が、コイル状線材９０の径方向に沿って当該コイル状線材９０の外周面に当たるため、噴射口３１ｂから噴射された洗浄水の水圧が最も大きい状態でコイル状線材９０の外周面を洗浄することができる。これにより、コイル状線材９０の洗浄性能をより向上することができる。
【００６０】
こうして複数の噴射ノズル３０ａ，３０ｂから洗浄水を噴射している外洗シャワー２０を、図２５に示すように、ウォームギヤ６９の駆動によって円筒体６２と共に回転させる（図２５において時計回り）。なお、円筒体６２の回転角度は、本実施の形態では１８０°に設定されている。ここで、外洗シャワー２０は、支持管２４ａがコイル状線材９０（図４参照）の軸線９０ａと同軸上ではなく当該軸線９０ａに対して所定距離離れた位置で平行に延在するように円筒体６２に取り付けられている、即ち、支持管２４ａが円筒体６２の回転軸線６１に対して所定距離だけ離れた位置に配置されているため、外洗シャワー２０は、回転軸線６１の周りを公転する態様で回転する。
【００６１】
したがって、本来であれば、円筒体６２が１８０°以上回転しなければ、コイル状線材９０の外周面全周を洗浄することができないが、本実施の形態では、シャワー管２２ｂがシャワー管２２ａに対して枝管２４ｃの長さ分だけ、即ち、支持管２４ａの回転軸線６１に対するズレ量（所定距離）だけオフセットされているため、実質的には、シャワー管２２ａとシャワー管２２ｂとがコイル状線材９０の直径上に配置されていることになり、円筒体６２を１８０°回転させるのみで、コイル状線材９０の外周面全周を洗浄することができる。これにより、洗浄時間の短縮を図ることができる。
【００６２】
このように、本実施の形態では、シャワー管２２ａ，２２ｂをコイル状線材９０の径方向外方の位置において、コイル状線材９０の軸線９０ａを中心に回転させながらコイル状線材９０の外周面を洗浄することができるため、コイル状線材９０の外周面であって、コイル状線材９０を径方向外方側から見た場合に、支持梁８２とコイル状線材９０とが重なる部分ＤＰ（図２４参照）も効果的に洗浄することができる。これにより、洗浄性能をより一層向上することができる。ここで、供給管２６は、接続管２４の支持管２４ａに対して相対回転可能に取付けられているため、供給管２６に接続されたホースＨ（図１７参照）が外洗シャワー２０に連れ回ることを抑制できる。なお、２本のシャワー管２２ａ，２２ｂのみ良いため、シャワー管２２ａ，２２ｂに洗浄水を送給するためのポンプの容量や当該ポンプを駆動するためのモータの出力を低く抑えることができる。
【００６３】
また、本実施の形態によれば、２つの内洗シャワー５２，５４によって、コイル状線材９０の内周面も洗浄するため、コイル状線材９０の洗浄性能の向上を図ることができる。なお、回転機構６０を介して外洗シャワー２０が取り付けられる壁２ａ側に配置される内洗シャワー５２は、円筒体６２の内部空間ＩＡ内に収容されるため、装置の大型化を抑制し得る合理的な内洗シャワー５２の配置を実現することができる。
【００６４】
本実施の形態では、２本のシャワー管２２ａ，２２ｂを有する構成としたが、これに限らない。例えば、１本のシャワー管を有する構成としても良いし、３本以上のシャワー管を有する構成としても良い。
【００６５】
本実施の形態では、シャワー管２２ａおよび連結管２４ｂを含む第３仮想平面ＶＰ３に対して枝管２４ｃの長さ分だけシャワー管２２ｂをオフセットした位置に配置する構成、即ち、シャワー管２２ａとシャワー管２２ｂとを同一平面上に配置しない構成としたが、シャワー管２２ａとシャワー管２２ｂとを同一平面上に配置する構成としても良い。この場合、円筒体６２の回転角度を１８０°以上回転させることにより、コイル状線材９０の外周面全周を洗浄することができる。
【００６６】
本実施の形態では、支持管２４ａを円筒体６２の回転軸線６１に対して所定距離だけ離れた位置に配置する構成としたが、これに限らない。例えば、内洗シャワー５２を有さない構成の場合には、支持管２４ａを円筒体６２の回転軸線６１に同軸上に配置する構成とすることができる。
【００６７】
本実施の形態では、内洗シャワー５２，５４を、その軸線がコイル状線材９０の軸線９０ａと同軸線上となるように配置する構成としたが、内洗シャワー５２，５４を、その軸線がコイル状線材９０の軸線９０ａと同軸線上とならないように配置する構成としても良い。
【００６８】
本実施の形態では、噴射ノズル３０ａ，３０ｂの噴射口３１ａ，３１ｂを楕円形状としたが、これに限らない。噴射口３１ａ，３１ｂは、例えば、円形や長孔、四角形状など如何なる形状であっても良い。
【００６９】
本実施の形態では、配列方向（シャワー管２２ａ，２２ｂの長手方向）の両端および当該両端の直近の内側に噴射ノズル３０ａを配置する構成としたが、これに限らない。フック８０に吊下げられるコイル状線材９０のうち最もコイル長さ（軸線方向の長さ）が短いコイル状線材９０のコイル長さ（軸線方向の長さ）に合わせて噴射ノズル３０ａの個数は適宜変更可能である。例えば、洗浄するコイル状線材９０のコイル長さ（軸線方向の長さ）が常に噴射ノズルの配列方向長さよりも長ければ、噴射ノズル３０ａは用いなくても良い。
【００７０】
本実施の形態では、第１仮想直線ＶＬ１に沿う方向の一方側から見たときの仮想投影面上における噴射口３１ａ，３１ｂの長軸ＬＡ’が、シャワー管２２ａ，２２ｂの長手方向に直交する直線であって当該仮想投影面上の第２仮想直線ＶＬ２に対して所定角度θをもって交差するように複数の噴射ノズル３０ａ，３０ｂをシャワー管２２ａ，２２ｂに配置する構成としたが、これに限らない。例えば、第１仮想直線ＶＬ１に沿う方向の一方側から見たときの仮想投影面上における噴射口３１ａ，３１ｂの長軸ＬＡ’が、シャワー管２２ａ，２２ｂの長手方向に直交する直線であって当該仮想投影面上の第２仮想直線ＶＬ２に沿うように複数の噴射ノズル３０ａ，３０ｂをシャワー管２２ａ，２２ｂに配置する構成としても良い。
【００７１】
本実施の形態では、噴射ノズル３０ｂの噴射口３１ｂがコイル状線材９０の軸線を通る第３仮想直線ＶＬ３の延在方向を向く構成としたが、これに限らない。
【００７２】
本実施形態は、本発明を実施するための形態の一例を示すものである。したがって、本発明は、本実施形態の構成に限定されるものではない。
【符号の説明】
【００７３】
１          コイル状線材の洗浄装置１（コイル状線材の洗浄装置）
２          洗浄ブース（洗浄ブース）
２ａ        壁
２ｂ        壁
２ｃ        壁
２ｄ        壁
４          排水槽
４ａ        開口
６ａ        載置部（第１載置部）
６ｂ        載置部（第２載置部）
８          開口
２０        外洗シャワー（外洗シャワー）
２２ａ      シャワー管（シャワー管、第１シャワー管）
２２ｂ      シャワー管（シャワー管、第２シャワー管）
２４        接続管（接続管）
２４ａ      支持管（第１部分）
２４ａ’    端部（第１部分の長手方向の第２端部）
２４ｂ      連結管（第２部分）
２４ｃ      枝管（第３部分）
２５        貫通開口（径方向貫通孔）
２６        供給管（供給管）
２６ａ      フランジ部
３０ａ      噴射ノズル（ノズル）
３０ｂ      噴射ノズル（ノズル）
３１ａ      噴射口（噴射口）
３１ｂ      噴射口（噴射口）
３２        ガイドプレート
５２        内洗シャワー（内洗シャワー）
５２ａ      ノズル本体部（噴射部）
５２ｂ      スライドフランジ（円錐状筒部）
５２ｃ      アクチュエータ
５４        内洗シャワー（内洗シャワー）
５４ａ      ノズル本体部（噴射部）
５４ｂ      スライドフランジ（円錐状筒部）
５４ｃ      アクチュエータ
５５        スリット
６０        回転機構
６１        回転軸線（回転軸線）
６２        円筒体（回転体）
６２ａ      フランジ
６２ｂ      円形開口
６２ｃ      円形開口
６３        円形開口
６４        外輪
６４ａ      はす歯歯車
６５        転動体
６６        内輪
６８        支持部材
６９        ウォームギヤ
６９ａ      ウォーム
７０        金具
７０ａ      切欠き
７２        補強バー
８０        フック（フック）
８２        支持梁（支持梁）
８４        吊下げ部（吊下げ部）
９０        コイル状線材（コイル状線材）
９０ａ      軸線
Ｆ          床面
ＥＬ１      エルボ管
ＥＬ２      エルボ管
ＥＬ３      エルボ管
Ｈ          ホース
ＢＲ１      ブラケット
ＢＲ２      ブラケット
ＢＲ３      ブラケット
ＣＳ        洗浄空間
ＩＡ        内部空間（中空部）
ＬＡ        長軸（長軸）
ＬＡ’      仮想投影面上の長軸
ＳＡ        短軸
ＶＬ１      第１仮想直線（第１仮想直線）
ＶＰ１      第１仮想平面（第１仮想平面）
ＶＰ２      第２仮想平面（第２仮想平面）
ＶＰ３      第３仮想平面
ＶＬ２      第２仮想直線（第２仮想直線）
ＶＬ３      第３仮想直線
θ          所定角度
ＣＳ        洗浄空間
ＳＬ        スリット
ＳＬ’      スリットの端部
ＭＦ        取付金具
ＤＰ        コイル状線材を径方向外方側から見た場合に、支持梁とコイル状線材とが重なる部分
【図１】
2020066769.tif 000003
【図２】
2020066769.tif 000004
【図３】
2020066769.tif 000005
【図４】
2020066769.tif 000006
【図５】
2020066769.tif 000007
【図６】
2020066769.tif 000008
【図７】
2020066769.tif 000009
【図８】
2020066769.tif 000010
【図９】
2020066769.tif 000011
【図１０】
2020066769.tif 000012
【図１１】
2020066769.tif 000013
【図１２】
2020066769.tif 000014
【図１３】
2020066769.tif 000015
【図１４】
2020066769.tif 000016
【図１５】
2020066769.tif 000017
【図１６】
2020066769.tif 000018
【図１７】
2020066769.tif 000019
【図１８】
2020066769.tif 000020
【図１９】
2020066769.tif 000021
【図２０】
2020066769.tif 000022
【図２１】
2020066769.tif 000023
【図２２】
2020066769.tif 000024
【図２３】
2020066769.tif 000025
【図２４】
2020066769.tif 000026
【図２５】
2020066769.tif 000027